(57)【特許請求の範囲】
【請求項１】
軸方向の一端部で他端部よりも膜厚が厚い感光層を有する感光体と、
連帳紙の各転写領域に転写される第一画像を前記感光体に形成し、前記連帳紙の長手方向における該転写領域間と該転写領域とに転写されず且つ前記連帳紙の該転写領域に対する前記軸方向の一方側の領域に転写される第二画像を前記一端部に形成する形成部と、
を備える画像形成装置。
【請求項２】
前記形成部は、
前記連帳紙の長手方向における該転写領域間と該転写領域とに転写されない第三画像を前記他端部に形成し、
単位期間あたりに形成される量が前記第三画像よりも多い前記第二画像を前記一端部に形成する
請求項１に記載の画像形成装置。
【請求項３】
前記第三画像を検出する検出部、を備え、
前記第三画像は、前記検出部により検出され、画像形成条件の制御に用いられる
請求項２に記載の画像形成装置。
【請求項４】
前記第二画像は、画像形成条件の制御に用いられない
請求項１〜３のいずれか１項に記載の画像形成装置。
【発明の詳細な説明】
【技術分野】
【０００１】
本発明は、画像形成装置に関する。
【背景技術】
【０００２】
特許文献１には、中間転写ベルトの幅方向の一端側と他端側とにそれぞれ、シェブロンパッチと呼ばれる複数のトナー像からなる位置ずれ検知用画像を形成する構成が開示されている。
【先行技術文献】
【特許文献】
【０００３】
【特許文献１】２０１１−６４７１５号公報
【発明の概要】
【発明が解決しようとする課題】
【０００４】
画像形成装置としては、連帳紙の各転写領域に転写される第一画像と、連帳紙の長手方向における転写領域間と該転写領域とに転写されない第二画像と、を感光体に形成する構成がある。ここで、軸方向の一端部で他端部よりも膜厚が厚い感光層を有する感光体において、感光層の膜厚が薄い軸方向の他端部に第二画像を形成すると、この他端部においてトナーの付着、トナーの転写及び残留トナーの除去が連続的に実行されてストレス（負荷）を受ける。これにより、膜厚が薄い他端部において、摩耗レート（感光体の単位回転数当たりの摩耗量）が高くなり、感光体の寿命が短くなる。
【０００５】
本発明は、感光層の膜厚が薄い軸方向の他端部のみに第二画像を形成する構成に比べ、感光体の寿命が短くなるのを抑制することを目的とする。
【課題を解決するための手段】
【０００６】
請求項１の発明は、軸方向の一端部で他端部よりも膜厚が厚い感光層を有する感光体と、連帳紙の各転写領域に転写される第一画像を前記感光体に形成し、前記連帳紙の長手方向における該転写領域間と該転写領域とに転写されない第二画像を前記一端部に形成する形成部と、を備える。
【０００７】
請求項２の発明では、前記形成部は、前記連帳紙の長手方向における該転写領域間と該転写領域とに転写されない第三画像を前記他端部に形成し、単位期間あたりに形成される量が前記第三画像よりも多い前記第二画像を前記一端部に形成する。
【発明の効果】
【０００８】
本発明の請求項１の構成によれば、感光層の膜厚が薄い軸方向の他端部のみに第二画像を形成する構成に比べ、感光体の寿命が短くなるのを抑制できる。
【０００９】
本発明の請求項２の構成によれば、感光層の膜厚が薄い軸方向の他端部に第三画像を形成する構成に比べ、感光体の寿命が短くなるのを抑制できる。
【図面の簡単な説明】
【００１０】
【図１】本実施形態に係る画像形成装置を正面側から見た構成を示す概略図である。
【図２】本実施形態に係るトナー画像形成部を示す概略図である。
【図３】本実施形態に係る感光体ドラムの感光層の膜厚を示すグラフである。
【図４】本実施形態に係る感光体ドラムを展開した展開図である。
【図５】本実施形態に係る連帳紙に転写された転写画像、色ずれ検出用のパッチ及び電位制御用のパッチを示す概略図である。
【図６】変形例に係る感光体ドラムを展開した展開図である。
【図７】変形例に係る感光体ドラムを展開した展開図である。
【発明を実施するための形態】
【００１１】
以下に、本発明に係る実施形態の一例を図面に基づき説明する。なお、各図に示す矢印Ｈは鉛直方向を示し、矢印Ｗは水平方向であって装置幅方向を示す。
【００１２】
＜画像形成装置１０の構成＞
図１は、画像形成装置１０を正面側から見た構成を示す概略図である。この図に示されるように、画像形成装置１０は、電子写真方式によりラベル紙等の連帳紙Ｐに画像を形成する画像形成部１２と、連帳紙Ｐを搬送する搬送装置５０と、画像形成装置１０の各部の動作を制御する制御部７０と、を有している。
【００１３】
（搬送装置５０）
図１に示されるように、搬送装置５０は、連帳紙Ｐを巻き出す巻出ロール５１と、連帳紙Ｐを巻き取る巻取ロール５３と、連帳紙Ｐを搬送する搬送ロール５２、５４、５６と、を有している。巻取ロール５３は、駆動部（図示省略）によって回転駆動される。これにより、巻取ロール５３が連帳紙Ｐを巻き取ると共に、巻出ロール５１が連帳紙Ｐを巻き出す。
【００１４】
搬送ロール５２は、巻出ロール５１から二次転写位置ＮＴへ連帳紙Ｐを搬送する。搬送ロール５４は、二次転写位置ＮＴから定着装置４０へ連帳紙Ｐを搬送する。搬送ロール５６は、定着装置４０から巻取ロール５３へ連帳紙Ｐを搬送する。
【００１５】
（画像形成部１２）
画像形成部１２は、トナー画像を形成するトナー画像形成部２０と、トナー画像形成部２０で形成されたトナー画像を連帳紙Ｐに転写する転写装置３０と、連帳紙Ｐに転写されたトナー画像を加熱及び加圧して連帳紙Ｐに定着する定着装置４０と、を有している。
【００１６】
トナー画像形成部２０は、色ごとにトナー画像を形成するように複数備えられている。この実施形態では、イエロー（Ｙ）、マゼンタ（Ｍ）、シアン（Ｃ）、ブラック（Ｋ）、特別色（Ｖ）の計５色のトナー画像形成部２０が設けられている。この各色のトナー画像形成部２０は、特別色（Ｖ）、イエロー（Ｙ）、マゼンタ（Ｍ）、シアン（Ｃ）、ブラック（Ｋ）の順で、後述の転写ベルト３１の搬送方向の上流側から下流側に向けて配置されている。
【００１７】
図１に示す（Ｖ）、（Ｙ）、（Ｍ）、（Ｃ）、（Ｋ）は、上記各色に対応する構成部分を示している。また、特別色（Ｖ）には、例えば、銀色や金色等の色が用いられる。
【００１８】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する感光体ドラム２１（感光体の一例）と、感光体ドラム２１を帯電させる帯電器２２と、帯電器２２によって帯電された感光体ドラム２１を露光して感光体ドラム２１に静電潜像を形成する露光装置２３と、を有している。さらに、各色のトナー画像形成部２０は、露光装置２３によって感光体ドラム２１に形成された静電潜像を現像してトナー画像を形成する現像装置２４と、転写装置３０へのトナー画像の転写後に感光体ドラム２１の表面に残留したトナーを除去する除去体としてのブレード２５と、を有している。
【００１９】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。このように、感光体ドラム２１の表面（外周面）にトナー画像が形成される。すなわち、本実施形態では、帯電器２２、露光装置２３及び現像装置２４が、感光体ドラム２１にトナー画像が形成する形成部の一例として機能する。ブレード２５は、感光体ドラム２１の表面に接触して、感光体ドラム２１の表面に残留したトナーを掻き取る。
【００２０】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴ（転写ニップの一例）で連帳紙Ｐに二次転写するようになっている。具体的には、転写装置３０は、図１に示されるように、転写ベルト３１と、一次転写ロール３３と、二次転写ロール３４と、を備えている。
【００２１】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００２２】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００２３】
［一次転写ロール３３］
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部３７（図２参照）によって、トナー極性とは逆極性の一次転写電圧が印加されるようになっている。この一次転写電圧の印加により、感光体ドラム２１に形成されたトナー画像が、感光体ドラム２１と一次転写ロール３３との間の一次転写位置Ｔで転写ベルト３１に転写される。
【００２４】
［二次転写ロール３４]
二次転写ロール３４は、転写ベルト３１に重畳されたトナー画像を連帳紙Ｐに転写するロールである。二次転写ロール３４は、図１に示されるように、対向ロール３２Ｂとの間に転写ベルト３１を挟むように配置されており、二次転写ロール３４と転写ベルト３１とは予め定められた荷重にて接触している。このように接触している二次転写ロール３４と転写ベルト３１の間が二次転写位置ＮＴとされる。この二次転写位置ＮＴには、巻出ロール５１から連帳紙Ｐが供給されるようになっている。二次転写ロール３４は、図１における時計周り方向へ回転駆動される。
【００２５】
また、二次転写ロール３４には、印加部（図示省略）によって、対向ロール３２Ｂに負極性の電圧が印加され、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、対向ロール３２Ｂと二次転写ロール３４との間に転写電界が形成されて、転写ベルト３１のトナー画像に対して静電力が作用し、二次転写位置ＮＴを通過する連帳紙Ｐに、転写ベルト３１からトナー画像が転写される。
【００２６】
＜要部構成＞
感光体ドラム２１は、図２に示されるように、基体２１Ａ（芯体）と、基体２１Ａの外周面に形成された感光層２１Ｂと、を有している。
【００２７】
感光層２１Ｂは、例えば、複数層で構成されている。具体的には、感光層２１Ｂは、例えば、下引層、電荷発生層、電荷輸送層及び表面層（オーバーコート層）を有する複数層で構成される。
【００２８】
下引層は、例えば、無機粒子及び結着樹脂を含む層として構成される。無機粒子としては、例えば、酸化錫、酸化チタン、酸化亜鉛、酸化ジルコニウム等の無機粒子（導電性金属酸化物）が用いられる。
【００２９】
電荷発生層は、例えば、電荷発生材料及び結着樹脂を含む層として構成される。電荷発生材料としては、例えば、ビスアゾ、トリスアゾ等のアゾ顔料、ジブロモアントアントロン等の縮環芳香族顔料、ペリレン顔料、ピロロピロール顔料、フタロシアニン顔料、酸化亜鉛、三方晶系セレン等が用いられる。
【００３０】
電荷輸送層は、例えば、電荷輸送材料及び結着樹脂を含む層として構成される。電荷輸送材料としては、ｐ−ベンゾキノン、クロラニル、ブロマニル、アントラキノン等のキノン系化合物、テトラシアノキノジメタン系化合物、２，４，７−トリニトロフルオレノン等のフルオレノン化合物、キサントン系化合物、ベンゾフェノン系化合物、シアノビニル系化合物、エチレン系化合物等の電子輸送性化合物、トリアリールアミン系化合物、ベンジジン系化合物、アリールアルカン系化合物、アリール置換エチレン系化合物、スチルベン系化合物、アントラセン系化合物、ヒドラゾン系化合物などの正孔輸送性化合物が用いられる。
【００３１】
表面層は、例えば、フッ素系粒子及び結着樹脂を含む層として構成される。フッ素系粒子としては、例えば、４フッ化エチレン樹脂（ＰＴＦＥ）、３フッ化塩化エチレン樹脂、６フッ化プロピレン樹脂、フッ化ビニル樹脂、フッ化ビニリデン樹脂、２フッ化２塩化エチレン樹脂が用いられる。
【００３２】
そして、下引層、電荷発生層、電荷輸送層及び表面層の各層は、浸漬塗布法により、基体２１Ａの外周面に形成される。
【００３３】
浸漬塗布法では、基体２１Ａの軸方向一端部を下方に向けた状態で、各層の構成材料を含む塗布液に基体２１Ａを浸漬して、基体２１Ａに当該塗布液を塗布する。次いで、塗布液に浸漬した基体２１Ａを塗布液から引き上げて、塗布液によって基体２１Ａの外周面に形成された塗膜を乾燥させる。これらの工程を各層において実行し、各層が形成される。
【００３４】
なお、感光層２１Ｂが表面層を有する複数層で構成される場合には、少なくとも表面層において浸漬塗布法が用いられていればよい。
【００３５】
浸漬塗布法では、基体２１Ａを塗布液から引き上げた際に、基体２１Ａの上端部側（塗布上端側）において、液だれが生じる。このため、図３に示されるように、感光体ドラム２１の一端部（塗布下端側）における感光層２１Ｂの膜厚が、感光体ドラム２１の他端部（塗布上端側）における膜厚に比べ、厚くなる。
【００３６】
一方、基体２１Ａの下端部側（塗布下端側）においては、基体２１Ａを塗布液から引き上げた際に、液だれが生じにくいものの、塗布液による塗膜が基体２１Ａの上端部側（塗布上端側）よりも厚くなるため、基体２１Ａの周方向における塗布ムラが大きくなりやすい。したがって、感光体ドラム２１の厚膜端部６０の膜厚は、周方向において分布を持つ傾向を有する。
【００３７】
このように、感光体ドラム２１は、軸方向一端部において感光層２１Ｂの膜厚が相対的に厚く、軸方向他端部において感光層２１Ｂの膜厚が相対的に薄くなっている。以下、膜厚が厚い軸方向一端部を「厚膜端部６０」と称し、膜厚が薄い軸方向他端部を「薄膜端部６２」と称する。
【００３８】
ここで、図４には、各感光体ドラム２１の外周面（表面）を展開した展開図が示されている。なお、図４では、感光体ドラム２１の軸方向が矢印Ｂ方向にて示されている。この図に示されるように、各感光体ドラム２１には、連帳紙Ｐの転写領域Ｐ１（図５参照）に転写される転写画像９０と、色ずれ検出用のパッチ９２と、電位制御用のパッチ９４と、ブレード２５保護用のバンド９６と、がトナー画像として形成される。
【００３９】
具体的には、パッチ９２、９４及びバンド９６は、感光体ドラム２１の厚膜端部６０の外周面に形成される。転写画像９０は、感光体ドラム２１におけるパッチ９２、９４及びバンド９６が形成される形成領域よりも、薄膜端部６２側に形成される。
【００４０】
なお、バンド９６は、パッチ９２、９４よりも画像密度（単位面積当たりのトナー量）が大きく、感光体ドラム２１に形成される頻度も多くなっている。すなわち、バンド９６は、単位期間あたりに感光体ドラム２１に形成される量がパッチ９２、９４よりも多い。すなわち、バンド９６は、パッチ９２、９４よりも感光体ドラム２１の単位回転数当たりに、感光体ドラム２１に付着されるトナー量が多い。
【００４１】
また、本実施形態では、図１に示されるように、色ずれ検出用のパッチ９２を検出する検出センサ７２（検出部）が、転写ベルト３１の周回方向におけるトナー画像形成部２０Ｋの下流側であって二次転写位置ＮＴの上流側に配置されている。
【００４２】
この検出センサ７２が転写ベルト３１に転写された各色のパッチ９２を検出することで、転写ベルト３１上のトナー画像における各色間の位置ずれが検出される。この検出結果に基づき、制御部７０が、画像形成条件として、各色の感光体ドラム２１での画像の形成位置（書き出し位置）を制御する。
【００４３】
また、図２に示されるように、各色の感光体ドラム２１の回転方向における現像装置２４の下流側であって一次転写位置Ｔの上流側には、電位制御用のパッチ９４を検出する検出センサ７４（検出部）が配置されている。
【００４４】
この検出センサ７４がパッチ９４の濃度を検出し、当該濃度が予め定められた目標濃度になるように、制御部７０によって、画像形成条件として、帯電電位、露光電位及び現像電位が制御される。
【００４５】
なお、電位制御用のパッチ９４は、感光体ドラム２１の軸方向一端部に形成されるものであるが、感光体ドラム２１の軸方向中央部や軸方向他端部における画像濃度も、軸方向一端部での画像濃度と同等であるものとして、帯電電位、露光電位及び現像電位が制御される。
【００４６】
ブレード２５保護用のバンド９６を構成するトナーは、感光体ドラム２１の回転により、感光体ドラム２１とブレード２５との間に供給されることで、ブレード２５と感光体ドラム２１との摩擦を低減し、ブレード２５を保護する。
【００４７】
なお、転写画像９０は、各感光体ドラム２１から転写ベルト３１に転写された後、図５に示されるように、連帳紙Ｐにおける各転写領域Ｐ１に転写される。すなわち、転写画像９０は、連帳紙Ｐの各転写領域Ｐ１に転写される第一画像の一例として用いられる。
【００４８】
一方、パッチ９２、９４及びバンド９６は、各感光体ドラム２１から転写ベルト３１に転写された後、連帳紙Ｐにおける幅方向（長手方向と交差する方向）の一端部に転写される。すなわち、パッチ９２、９４及びバンド９６は、連帳紙Ｐの長手方向における転写領域Ｐ１間及び、転写領域Ｐ１に転写されない。パッチ９２、９４及びバンド９６が連帳紙Ｐの長手方向における転写領域Ｐ１間に転写されないことで、転写領域Ｐ１間を狭められ、連帳紙Ｐの使用効率が向上する。
【００４９】
このように、パッチ９２、９４及びバンド９６は、連帳紙Ｐの長手方向における転写領域Ｐ１間と転写領域Ｐ１とに転写されない第二画像の一例として機能する。
【００５０】
＜本実施形態に係る作用＞
次に、本実施形態に係る作用を、比較例の構成に係る作用と比較して説明する。
【００５１】
比較例の構成では、例えば、パッチ９２、９４及びバンド９６が、感光体ドラム２１の薄膜端部６２の外周面のみに形成される。
【００５２】
このため、感光体ドラム２１の薄膜端部６２において、トナーの付着、トナーの転写及び残留トナーの除去が連続的に実行され、感光体ドラム２１がストレス（負荷）を受ける。これにより、感光体ドラム２１の薄膜端部６２において、摩耗レート（例えば、感光体ドラム２１の単位回転数当たりの摩耗量）が高くなり、感光体ドラム２１の寿命が短くなる。
【００５３】
これに対して、本実施形態では、パッチ９２、９４及びバンド９６は、感光体ドラム２１の厚膜端部６０の外周面に形成される。
【００５４】
このため、感光体ドラム２１の厚膜端部６０において摩耗レート（単位回転数当たりの摩耗量）が高くなるため、薄膜端部６２で摩耗レートが高い比較例に比べ、例えば、感光層２１Ｂの表面層が剥離しにくく、感光体ドラム２１の寿命が短くなるのが抑制される。
【００５５】
＜変形例＞
前述の本実施形態では、パッチ９２、９４及びバンド９６が、感光体ドラム２１の厚膜端部６０の外周面に形成されていたが、これに限られない。例えば、図６に示されるように、感光体ドラム２１の厚膜端部６０の外周面にバンド９６を形成し、感光体ドラム２１の薄膜端部６２の外周面にパッチ９２、９４を形成する構成であってもよい。
【００５６】
この構成では、バンド９６は、連帳紙Ｐの長手方向における転写領域Ｐ１間と転写領域Ｐ１とに転写されず、単位期間あたりに形成される量がパッチ９２、９４よりも多い第二画像の一例として機能する。なお、変形例における第二画像は、画像形成条件の制御に用いられない画像である。「画像形成条件の制御に用いられない」とは、第二画像の形成の結果としていかなる画像形成条件の制御（変更）も行われないことを意味するのではなく、検出センサ７２、７４（検出部の一例）によって第二画像の濃度を検出しない、または検出はするがその濃度を用いて画像形成条件の制御が行われないことを意味する。
【００５７】
また、パッチ９２、９４は、連帳紙Ｐの長手方向における転写領域Ｐ１間と転写領域Ｐ１とに転写されない第三画像の一例として機能する。なお、第三画像は、検出センサ７２、７４（検出部）によって検出され、画像形成条件の制御に用いられる画像である。
【００５８】
以上のように、変形例の構成では、感光体ドラム２１の厚膜端部６０の外周面に、単位期間あたりに感光体ドラム２１に形成される量が相対的に多いバンド９６が形成される。このため、バンド９６が感光体ドラム２１の薄膜端部６２に外周面に形成される構成に比べ、例えば、感光層２１Ｂの表面層が剥離しにくく、感光体ドラム２１の寿命が短くなるのが抑制される。
【００５９】
また、変形例の構成では、パッチ９４とバンド９６とが、感光体ドラム２１の軸方向の異なる位置に形成される。
【００６０】
ここで、パッチ９４とバンド９６とが軸方向の同じ位置に形成される構成（変形例に対する比較例）では、当該地において、トナーの付着、トナーの転写及び残留トナーの除去が連続的に実行され、感光体ドラム２１がストレス（負荷）を受ける。これにより、当該位置において、摩耗が進み、感光体ドラム２１の感度の低下や電位の上昇が生じる。
【００６１】
したがって、パッチ９４を検出センサ７４にて検出した検出結果が、感光体ドラム２１の軸方向中央部における感度や電位等の特性と著しく異なる検出結果となる。したがって、パッチ９４を検出センサ７４にて検出した検出結果に基づいて、制御部７０によって帯電電位、露光電位及び現像電位等を制御しても、適正な電位制御が行えない。
【００６２】
これに対して、変形例の構成では、パッチ９４とバンド９６とが、感光体ドラム２１の軸方向の異なる位置に形成されるため、感光体ドラム２１の薄膜端部６２において、感光体ドラム２１の感度の低下や電位の上昇が生じにくい。
【００６３】
これにより、変形例に対する比較例に比べ、パッチ９４を検出センサ７４にて検出した検出結果が、感光体ドラム２１の軸方向中央部における感度や電位等の特性を反映した検出結果となる。したがって、パッチ９４を検出センサ７４にて検出した検出結果に基づいて、制御部７０によって帯電電位、露光電位及び現像電位等を制御することで、適正な電位制御が行える。このように、本実施形態では、パッチ９４を検出した検出結果が、バンド９６の形成による影響を受けるのが抑制される。
【００６４】
＜他の変形例＞
前述の本実施形態では、パッチ９２、９４及びバンド９６が、感光体ドラム２１の厚膜端部６０の外周面に形成されていたが、これに限られない。例えば、図７に示されるように、感光体ドラム２１の厚膜端部６０の外周面にパッチ９２、９４を形成し、感光体ドラム２１の薄膜端部６２の外周面にバンド９６を形成する構成であってもよい。
【００６５】
この構成においても、パッチ９２、９４及びバンド９６が、感光体ドラム２１の薄膜端部６２の外周面のみに形成される比較例に比べ、感光体ドラム２１の寿命が短くなるのが抑制される。また、パッチ９４とバンド９６とが、感光体ドラム２１の軸方向の異なる位置に形成されるので、前述したのと同様に、パッチ９４を検出した検出結果が、バンド９６の形成による影響を受けるのが抑制される。
【００６６】
また、本実施形態では、第二画像（図６に示す変形例においては第三画像）として、色ずれ検出用のパッチ９２及び電位制御用のパッチ９４を用いたが、これに限られない。第二画像（図６に示す変形例においては第三画像）の一例としては、例えば、各色における階調を調整するための階調パッチを用いてもよい。
【００６７】
また、本実施形態では、第二画像として、ブレード２５保護用のバンド９６を用いたが、これに限られない。例えば、第二画像の一例としては、劣化した現像剤（トナー）を消費するためのバンドを用いてもよい。
【００６８】
また、本実施形態では、パッチ９２、９４及びバンド９６は、連帳紙Ｐに転写されたが、これに限られない。第二画像及び第三画像としては、例えば、転写ベルト３１から連帳紙Ｐに転写されずに、転写ベルト３１に残った状態で清掃装置などで清掃される構成であってもよい。
【００６９】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００７０】
１０   画像形成装置
２１   各感光体ドラム（感光体の一例）
２２   帯電器（形成部の一例）
２３   露光装置（形成部の一例）
２４   現像装置（形成部の一例）
９０   転写画像（第一画像の一例）
９２、９４    パッチ（第二画像の一例、第三画像の一例）
９６   バンド（第二画像の一例）
Ｐ１   転写領域
Ｐ     連帳紙
【図１】
0006686453.tif 000002
【図２】
0006686453.tif 000003
【図３】
0006686453.tif 000004
【図４】
0006686453.tif 000005
【図５】
0006686453.tif 000006
【図６】
0006686453.tif 000007
【図７】
0006686453.tif 000008